(57)【要約】【課題】  比較的強度を有して大型のものが製造可能で、しかも、敷地面積に対して内部の空間を大きくでき、更に、その高さや幅を変えることができる簡易バルーンシェルターを提供する。【解決手段】  間隔をあけて配置され前後に長い左右の基礎部材１１、１２と、基礎部材１１、１２に連結され垂直配置された側壁部１３、１４及びこれらを連結する屋根部１５を形成しているカバー部材１６とを有し、基礎部材１１、１２及びカバー部材１６が軟質の合成樹脂シート等からなり、空気注入によって膨らむバルーンによって形成され、カバー部材１６は、少なくとも左右の側壁部１３、１４が、並べて配置されそれぞれの連結部分の一部が連通する複数の筒状気室２２、２３で全体が構成され、更にそれぞれの筒状気室２２、２３の基部が基礎部材１１、１２に立設されている。【選択図】        図２
2006063588.tif 000002
【特許請求の範囲】
【請求項１】
間隔をあけて水平に配置され、前後に長い左右の基礎部材と、該それぞれの基礎部材に連結され、左右の垂直配置された側壁部及びこれらを連結する屋根部を形成しているカバー部材とを有し、前記それぞれの基礎部材及びカバー部材が軟質の合成樹脂シート又はゴムシートからなり、空気注入によって膨らむバルーンによって形成される簡易バルーンシェルターであって、
前記カバー部材は、少なくとも左右の前記側壁部が、並べて配置されそれぞれの連結部分の一部が連通する複数の筒状気室で全体が構成され、更にそれぞれの前記筒状気室の基部が前記基礎部材に立設されていることを特徴とする簡易バルーンシェルター。
【請求項２】
請求項１記載の簡易バルーンシェルターにおいて、前記カバー部材が、前記基礎部材のいずれか一つに立設される側壁部、及び該側壁部に連結される前記屋根部の一部をそれぞれ有する左右の半カバー部材を備え、前記左右の半カバー部材の先端部は折り込み可能な連結部材を介して連結されていると共に、前記左右の半カバー部材の先端部には、互いに係合するファスナーＡ、Ｂを有することを特徴とする簡易バルーンシェルター。
【請求項３】
請求項１記載の簡易バルーンシェルターにおいて、前記カバー部材が、前記基礎部材のいずれか一つに立設される側壁部、及び該側壁部に連結される前記屋根部の一部をそれぞれ有する分離可能な左右の半カバー部材を備え、該左右の半カバー部材の先端部に係合するファスナーＣ、Ｄを設け、該左右の半カバー部材の先端部に、前記ファスナーＣ、Ｄに係合するファスナーＥ、Ｆを備える補助屋根部材を配置可能としたことを特徴とする簡易バルーンシェルター。
【請求項４】
請求項１〜３のいずれか１項に記載の簡易バルーンシェルターにおいて、前記左右のいずれか一方又は双方の基礎部材の側部の上下位置に互いに係合するファスナーＧ、Ｈを水平配置し、前記ファスナーＧ、Ｈを連結した場合と、前記前記ファスナーＧ、Ｈを解放した場合とで、前記基礎部材の高さを変更可能としたことを特徴とする簡易バルーンシェルター。
【請求項５】
水平に配置され前後に長い基礎部材と、該基礎部材に立設される側壁部及び該側壁部の上端に連結される屋根部を備えたカバー部材とを有し、該カバー部材は軟質の合成樹脂シート又はゴムシートからなり、空気注入によって膨らむバルーンによって形成される簡易バルーンシェルターであって、
前記側壁部は、前後方向に並べて配置されそれぞれの連結部分の一部が連通する複数の第１の筒状気室によって構成され、前記屋根部は、上下方向に並べて水平配置されそれぞれの連結部分の一部が連通する複数の第２の筒状気室によって構成されることを特徴とする簡易バルーンシェルター。
【請求項６】
請求項５記載の簡易バルーンシェルターにおいて、前記屋根部は中間にファスナーによる連結部材を備え、該屋根部の長さを調整可能としていることを特徴とする簡易バルーンシェルター。
【請求項７】
請求項５及び６のいずれか１項に記載の簡易バルーンシェルターにおいて、前記屋根部の先端部にはロープ係止用孔が設けられていると共に、前記屋根部を構成する前記第２の筒状気室の一部又は全部の端部にはロープ係止用フックが設けられていることを特徴とする簡易バルーンシェルター。
【請求項８】
請求項１〜７のいずれか１項に記載の簡易バルーンシェルターにおいて、前記側壁部の内側には、冷風又は温風を吹き出す送風口が並べて設けられた軟質の合成樹脂シート又はゴムシートからなるダクトが設けられていることを特徴とする簡易バルーンシェルター。
【請求項９】
請求項１〜８のいずれか１項に記載の簡易バルーンシェルターにおいて、前記基礎部材には、ウェイト及びアンカーのいずれか一方又は双方を取付け可能な支持部材が設けられていることを特徴とする簡易バルーンシェルター。
【請求項１０】
請求項１〜９のいずれか１項に記載の簡易バルーンシェルターにおいて、前記基礎部材又は前記側壁部の下部位置には、給排気口が設けられて、別置きされた送風機から送られる空気によって前記バルーンが膨らむことを特徴とする簡易バルーンシェルター。
【請求項１１】
請求項１〜１０のいずれか１項に記載の簡易バルーンシェルターにおいて、前記側壁部の外側下部位置には、ロープ係止用フックが並べて設けられていることを特徴とする簡易バルーンシェルター。
【発明の詳細な説明】
【技術分野】
【０００１】
本発明は、例えば、住宅や道路の工事現場、又はその他の場所（例えば、広場）において、雨天でも作業や工事を行うことができるように使用する簡易バルーンシェルターに関する。
【背景技術】
【０００２】
従来、例えば、災害時に負傷者の収容や救助隊員の休息のため、また、建設現場での仮の倉庫として、さらに、各種のイベント会場等に空気膨張式テントが使用されている。空気膨張式テントは、現場での組立て及び収納が簡単で、収縮させた状態でコンパクトになって運搬も容易に行える。イベント会場用の空気膨張式テントとして、多数のアーチ状の柱状気室が並列に配置され、全体が蒲鉾形状の空気膜構造型テントが使用されている。
また、マンホール工事等の工事、特に、雨や風の強い日でもマンホール工事や点検作業に使用できるエアーチューブテントが特許文献１に記載されている。このエアーチューブテントは、円筒状に構成され内部に空気を充填した筒状気室を組合わせてテントの柱や梁が結合した骨組み構造を構成し、この骨組み構造の周囲を天幕で覆う構成となっている。
【０００３】
【特許文献１】特開平１１−２７０１９１号公報（図１及び図２）
【発明の開示】
【発明が解決しようとする課題】
【０００４】
しかしながら、前記従来の空気膨張式テントやエアーチューブテントは未だ解決すべき以下のような問題があった。
蒲鉾形状の空気膨張式テントは、壁と天井が一体となっているので、高さを確保するのが困難であり、高さを確保しようとすれば幅が広くなって広い面積の敷地を必要とするという問題がある。更には蒲鉾形状の両側部内側は高さが低くなっているので、空間の使用効率が悪いという問題がある。
また、エアーチューブ型のテントの場合には、柱や梁自体が筒状気室によって構成されているので、全体の強度が下がり、大型のものを作るのが困難である。また、仮にできても、柱や梁の強度は小さく、壁や天井の一部は天幕で覆われているので、風を受けて簡単に傾いたり振動したりする等の問題がある。
更には、空気膨張式テントやエアーチューブ型のテントにおいては、全体の高さや幅を変えることが困難であり、一つの専用用途しか使用できなかった。
【０００５】
本発明はかかる事情に鑑みてなされたもので、比較的強度を有して大型のものが製造可能で、しかも、敷地面積に対して内部の空間を大きくできる簡易バルーンシェルターを提供することを第１の目的とする。また、場合によっては、一つの簡易バルーンシェルターでその高さや幅を変えることができる簡易バルーンシェルターを提供することを第２の目的とする。
【課題を解決するための手段】
【０００６】
前記目的に沿う第１の発明に係る簡易バルーンシェルターは、間隔をあけて水平に配置され、前後に長い左右の基礎部材と、該それぞれの基礎部材に連結され、左右の垂直配置された側壁部及びこれらを連結する屋根部を形成しているカバー部材とを有し、前記それぞれの基礎部材及びカバー部材が軟質の合成樹脂シート又はゴムシートからなり、空気注入によって膨らむバルーンによって形成される簡易バルーンシェルターであって、
前記カバー部材は、少なくとも左右の前記側壁部が、並べて配置されそれぞれの連結部分の一部が連通する複数の筒状気室で全体が構成され、更にそれぞれの前記筒状気室の基部が前記基礎部材に立設されている。
【０００７】
また、第２の発明に係る簡易バルーンシェルターは、第１の発明に係る簡易バルーンシェルターにおいて、前記カバー部材が、前記基礎部材のいずれか一つに立設される側壁部、及び該側壁部に連結される前記屋根部の一部をそれぞれ有する左右の半カバー部材を備え、前記左右の半カバー部材の先端部は折り込み可能な連結部材を介して連結されていると共に、前記左右の半カバー部材の先端部には、互いに係合するファスナーＡ、Ｂを有している。
【０００８】
第３の発明に係る簡易バルーンシェルターは、第１の発明に係る簡易バルーンシェルターにおいて、前記カバー部材が、前記基礎部材のいずれか一つに立設される側壁部、及び該側壁部に連結される前記屋根部の一部をそれぞれ有する分離可能な左右の半カバー部材を備え、該左右の半カバー部材の先端部に係合するファスナーＣ、Ｄを設け、該左右の半カバー部材の先端部に、前記ファスナーＣ、Ｄに係合するファスナーＥ、Ｆを備える補助屋根部材を配置可能としている。
【０００９】
そして、第４の発明に係る簡易バルーンシェルターは、第１〜第３の発明に係る簡易バルーンシェルターにおいて、前記左右のいずれか一方又は双方の基礎部材の側部の上下位置に互いに係合するファスナーＧ、Ｈを水平配置し、前記ファスナーＧ、Ｈを連結した場合と、前記前記ファスナーＧ、Ｈを解放した場合とで、前記基礎部材の高さを変更可能としている。
【００１０】
また、第５の発明に係る簡易バルーンシェルターは、水平に配置され前後に長い基礎部材と、該基礎部材に立設される側壁部及び該側壁部の上端に連結される屋根部を備えたカバー部材とを有し、該カバー部材は軟質の合成樹脂シート又はゴムシートからなり、空気注入によって膨らむバルーンによって形成される簡易バルーンシェルターであって、
前記側壁部は、前後方向に並べて配置されそれぞれの連結部分の一部が連通する複数の第１の筒状気室によって構成され、前記屋根部は、上下方向に並べて水平配置されそれぞれの連結部分の一部が連通する複数の第２の筒状気室によって構成される。
【００１１】
そして、第６の発明に係る簡易バルーンシェルターは、第５の発明に係る簡易バルーンシェルターにおいて、前記屋根部は中間にファスナーによる連結部材を備え、該屋根部の長さを調整可能としている。
また、第７の発明に係る簡易バルーンシェルターは、第５及び第６の発明に係る簡易バルーンシェルターにおいて、前記屋根部の先端部にはロープ係止用孔が設けられていると共に、前記屋根部を構成する前記第２の筒状気室の一部又は全部の端部にはロープ係止用フック（即ち、ロープ係止具、鉤状のものの他、リング状のものを含む、以下同じ）が設けられている。
【００１２】
そして、第８の発明に係る簡易バルーンシェルターは、第１〜第７の発明に係る簡易バルーンシェルターにおいて、前記側壁部の内側には、冷風又は温風を吹き出す送風口が並べて設けられた軟質の合成樹脂シート又はゴムシートからなるダクトが設けられている。
なお、第１〜第８の発明において、簡易バルーンシェルターの前後方向は、開放であってもよいし、壁材（例えば、シート材や垂れ幕）を配置してもよい。壁材を配置した場合は内部のシール性が更に高まる。
また、第１〜第８の発明において、合成樹脂シート又はゴムシートとは折り畳むことが可能なものをいい、内部に繊維が配置されている合成樹脂シート、ゴムシート及び繊維シートに防水コーティングしたものも含まれる。更に、合成樹脂シート及びゴムシートの選択にあっては、十分な強度を有し、耐候性及び耐熱性を有するものを使用するのがよい。
【発明の効果】
【００１３】
第１の発明に係る簡易バルーンシェルターにおいては、カバー部材は、少なくとも左右の側壁部が、並べて配置されそれぞれの連結部分の一部が連通する複数の筒状気室で全体が構成され、更にそれぞれの筒状気室の基部が基礎部材に立設されているので、側壁部の全部が筒状気室によって形成されていることになり、簡易バルーンシェルター全体の強度を高めることができる。
そして、筒状気室を並べて形成される側壁部は基礎部材に垂直配置され、その上に筒状気室を並べて配置される屋根部を形成した場合には、更に、全体の強度が向上し、比較的大型のシェルターを形成できる。
【００１４】
また、第２の発明に係る簡易バルーンシェルターは、第１の発明に係る簡易バルーンシェルターにおいて、カバー部材が、基礎部材のいずれか一つに立設される側壁部、及びこの側壁部に連結される屋根部の一部をそれぞれ有する左右の半カバー部材を備え、左右の半カバー部材の先端部は折り込み可能な連結部材を介して連結されていると共に、左右の半カバー部材の先端部には、互いに係合するファスナーＡ、Ｂを有している。従って、ファスナーＡ、Ｂの係合状態を解いた場合には、簡易バルーンシェルターの左右の幅が長くなり、ファスナーＡ、Ｂを係合させた場合には、連結部材の長さだけ簡易バルーンシェルターの左右の幅が短くなる。これによって、簡易バルーンシェルターの幅を変えることができる。
【００１５】
第３の発明に係る簡易バルーンシェルターは、第１の発明に係る簡易バルーンシェルターにおいて、カバー部材が、基礎部材のいずれか一つに立設される側壁部、及び側壁部に連結される屋根部の一部をそれぞれ有する分離可能な左右の半カバー部材を備え、左右の半カバー部材の先端部に係合するファスナーＣ、Ｄを設け、左右の半カバー部材の先端部に、ファスナーＣ、Ｄに係合するファスナーＥ、Ｆを備える補助屋根部材を配置可能としている。
これによって、補助屋根部材を使用した場合、使用しない場合で簡易バルーンシェルターの横幅が変わり、この場合、補助屋根部材の長さを変えることによって、簡易バルーンシェルターの幅を自在に変更することができる。
【００１６】
第４の発明に係る簡易バルーンシェルターは、第１〜第３の発明に係る簡易バルーンシェルターにおいて、左右のいずれか一方又は双方の基礎部材の側部の上下位置に互いに係合するファスナーＧ、Ｈを水平配置し、ファスナーＧ、Ｈを連結した場合と、ファスナーＧ、Ｈを解放した場合とで、基礎部材の高さを変更可能としている。
これによって、簡易バルーンシェルターの全体高さを変えることができる。
【００１７】
そして、第５の発明に係る簡易バルーンシェルターは、側壁部が、前後方向に並べて配置されそれぞれの連結部分の一部が連通する複数の第１の筒状気室によって構成され、屋根部が、上下方向に並べて水平配置されそれぞれの連結部分の一部が連通する複数の第２の筒状気室によって構成されているので、側壁部及び屋根部が強度を有し、大型の簡易バルーンシェルターを構成できる。
また、この発明において、一つの基礎部材とこれに連接するカバー部材のみしか使用しない場合には、例えば、木造建築の片側のみを覆うようにすることもできる。勿論、対となる簡易バルーンシェルターを連結して使用することもでき、この場合は、更に強度が増して、建屋状となる。
【００１８】
そして、第６の発明に係る簡易バルーンシェルターは、第５の発明に係る簡易バルーンシェルターにおいて、屋根部は中間にファスナーによる連結部材を備え、屋根部の長さを調整可能としている。これによって、対象物に合わせて屋根の長さを変えることができる。
【００１９】
また、第７の発明に係る簡易バルーンシェルターは、第５及び第６の発明に係る簡易バルーンシェルターにおいて、屋根部の先端部にはロープ係止用孔が設けられていると共に、屋根部を構成する第１の筒状気室の一部又は全部の端部にはロープ係止用フックが設けられている。これによって、一つの基礎部材とこれに連接するカバー部材のみしか使用しない場合には、側壁部のない開放側は、ロープ等で固定することができ、特に、木造家屋の片側を覆う場合に更に適している。
【００２０】
そして、第８の発明に係る簡易バルーンシェルターは、第１〜第７の発明に係る簡易バルーンシェルターにおいて、側壁部の内側には、冷風又は温風を吹き出す送風口が並べて設けられた軟質の合成樹脂シート又はゴムシートからなるダクトが設けられている。これによって簡易バルーンシェルターの内部に冷風又は温風を供給することができる。
【発明を実施するための最良の形態】
【００２１】
続いて、添付した図面を参照しつつ、本発明を具体化した実施の形態につき説明し、本発明の理解に供する。
ここに、図１は本発明の第１の実施の形態に係る簡易バルーンシェルターの使用状況を示す説明図、図２は同簡易バルーンシェルターの模式図、図３は同簡易バルーンシェルターのカバー部材の屋根部の長さの変更方法を示す説明図、図４は同簡易バルーンシェルターの基礎部材の高さの変更方法を示す説明図、図５は同簡易バルーンシェルターのカバー部材の屋根部の変形例を示す説明図、図６は本発明の第２の実施の形態に係る簡易バルーンシェルターの使用状況を示す説明図、図７は同簡易バルーンシェルターの変形例を展開した状態を示す模式図、図８は同簡易バルーンシェルターの変形例の使用方法を示す説明図である。なお、図７、図８においては、第１、第２の筒状気室６５ａ、６６ａを断面円形に記載しているが、実際は図６に示すように、４辺が外方向に膨らんだ断面矩形形状をしている。
【００２２】
図１及び図２に示すように、本発明の第１の実施の形態に係る簡易バルーンシェルター１０は、例えば、住宅工事で使用するものであって、左右方向に間隔をあけて水平に配置され、前後に長い左右の基礎部材１１、１２と、それぞれの基礎部材１１、１２の上部に連結され、左右の側壁部１３、１４及びこれらを連結する屋根部１５を形成しているカバー部材１６とを有して構成されている。カバー部材１６は、基礎部材１１に立設される左の垂直配置された側壁部１３及び側壁部１３に連結される屋根部１５の左側部１７を有する左の半カバー部材１９と、左の半カバー部材１９に対向して配置され、基礎部材１２に立設される右の垂直配置された側壁部１４及び側壁部１４に連結される屋根部１５の右側部１８を有する右の半カバー部材２０とを備えており、対向して配置された左右の半カバー部材１９、２０の先端部は折り込み可能な連結部材２１を介して連結されている。
【００２３】
また、それぞれの基礎部材１１、１２及びカバー部材１６が軟質の合成樹脂シート又はゴムシートからなり、空気注入によって膨らむバルーンによって形成されている。しかも、住宅工事で使用する際、例えば、建設する住宅のサイズ（高さや幅又は奥行き）が異なる場合でも、それに応じて、基礎部材１１、１２の高さ（従って、カバー部材１６の屋根部１５の高さ）や屋根部１５の左右方向の長さ（即ち、側壁部１３、１４間の距離）を変更することができるように構成されている。以下、これらについて詳しく説明する。
【００２４】
左右の半カバー部材１９、２０はそれぞれ、前後方向に並べて配置されそれぞれの連結部分の一部が連通する複数（本実施の形態では８個）の筒状気室２２、２３で全体が構成されており、更にそれぞれの筒状気室２２、２３の基部が基礎部材１１、１２に立設されている。空気注入によってバルーンが膨らんだ状態の筒状気室２２、２３の断面形状は、略矩形であって、各辺が外側に膨れた円弧状に形成される。
【００２５】
図１、図２及び図３に示すように、連結部材２１も、基礎部材１１、１２及びカバー部材１６と同様、合成樹脂シート又はゴムシートからなっており、左右の半カバー部材１９、２０の筒状気室２２、２３のいずれか１又は２以上に図示しない空気流通口が連通している。この連結部材２１は長尺の筒状気室が、前後方向に配置された構成となっており、中央には折り目２４が形成されている。従って、左右の半カバー部材１９、２０の先端部はそれぞれ、左右方向の長さＮ（一例として、Ｎ＝４００〜６００ｍｍ）の連結部材２１の両端部に一体的に連結されている。
【００２６】
図３に示すように、連結部材２１で連結されている左右の半カバー部材１９、２０の先端部にはそれぞれ、互いに係合するファスナーＡ、Ｂが距離Ｎをあけて全周に沿って設けられている。一方、連結部材２１の左右方向の中心線位置には、内側に畳み込まれるように折り目２４が全周に沿って形成されている。
かかる構成によって、図３に示すように、連結部材２１を折り目２４で内側に折り込み、その後、ファスナーＡ、Ｂを連結すると、カバー部材１６の屋根部１５の長さＬ（バルーン幅）が（Ｌ−Ｎ）になる。
【００２７】
図４に示すように、左の基礎部材１１（右の基礎部材１２も同じ）の側部の上下位置には、互いに係合するファスナーＧ、Ｈを間隔Ｔ（一例として、Ｔ＝４００〜６００ｍｍ）あけて水平配置しており、ファスナーＧ、Ｈを連結した場合（右の図）と、ファスナーＧ、Ｈを解放した場合（左の図）とで、基礎部材１１の高さを変更可能としている。従って、ファスナーＧ、Ｈを連結することにより、簡易バルーンシェルター１０の高さＳを（Ｓ−Ｔ）に調整することができる。
【００２８】
図５には、変形例として、屋根部の長さを変更するカバー部材２５を示す。
図５に示すように、カバー部材２５は、基礎部材１１、１２に立設される側壁部１３、１４、及び側壁部１３、１４に連結される屋根部２６の左側部２７、右側部２８をそれぞれ有する分離可能な左右の半カバー部材２９、３０からなっている。左右の半カバー部材２９、３０の先端部には係合するファスナーＣ、Ｄが設けられており、左右の半カバー部材２９、３０の先端部には、係合するファスナーＣ、Ｄにそれぞれ係合するファスナーＥ、Ｆを備える補助屋根部材３１が配置可能となっている。補助屋根部材３１のファスナーＥ、Ｆ間の距離はＭ（一例として、Ｍ＝４００〜１２００ｍｍ）としている。補助屋根部材３１は、各筒状気室２２、２３に連通する合成樹脂シート又はゴムシートから形成された長尺の筒状気室を備えている。
かかる構成によって、左右の半カバー部材２９、３０の先端部間に、補助屋根部材３１を着脱することにより、カバー部材２５の屋根部２６の長さをＬ又は（Ｌ＋Ｍ）に変更することができる。
【００２９】
図１及び図２に示すように、側壁部１３、１４の左右方向の内側には、前後方向に沿って、冷風又は温風を吹き出す複数の送風口３２が並べて設けられた軟質の合成樹脂シート又はゴムシートからなるダクト３３、３４が上下２段に設けられている。上下のダクト３３、３４は、前後方向に間隔をあけて垂直に配置された軟質の合成樹脂シート又はゴムシートからなる連通部材３５を介して連通されている。冷風又は温風は、外部に設置された冷風又は温風の供給源３６、３７に接続され、しかも、側壁部１３、１４の左右方向を貫通して下段のダクト３４に連通された供給口３８、３９を介して供給されるようになっている。複数の送風口３２はそれぞれ、例えば、ファスナー（ジッパー）を設けて、開閉可能にすることもでき、これによって、送風口３２を選択的に開閉することができる。また、送風口３２の設置面からの高さ位置は０．５〜２ｍとしている。
【００３０】
基礎部材１１、１２の左右方向の外側には、前後方向に沿って、ウェイト４０、４１及び複数のアンカー４２を取付け可能な、平面視して細長い矩形でシート状の支持部材４３、４４が設けられている。ウェイト４０（４１も同じ）は基礎部材１１側に載置されて、基礎部材１１が設置面から移動しないようになっている。また、ウェイト４０を支持部材４３に載置した状態で、必要に応じて、さらに、アンカー４２を設けて支持部材４３を介して基礎部材１１を設置面に強固に固定することもできる。なお、ウェイト４０は砂を袋に詰めたものとしている。
【００３１】
図１及び図２に示すように、基礎部材１１、１２の下部位置にはそれぞれ、外部に別置きされた送風機４５、４６から送られる空気によって、基礎部材１１、１２及びカバー部材１６を形成するバルーンを膨らませる空気の給排気口４７、４８が設けられており、給排気口４７、４８はそれぞれ、接続管４９、５０を介して送風機４５、４６の吐出口に連結されている。送風機４５、４６には、雨よけカバー５１、５２が設けられている。かかる構成により、送風機４５、４６から供給される空気により、縮んだ状態の基礎部材１１、１２及びカバー部材１６を膨らませ、その後は、縫い目やその他の小孔から漏れる空気の補給を行って、バルーンを維持することができる。
【００３２】
側壁部１３、１４の外側下部位置には、ロープ係止用フック５３が前後方向に沿って並べて、即ち、各筒状気室２２、２３の外側下部位置に設けられている。ロープ係止用フック５３を介して固定用のロープ（図示せず）により、側壁部１３、１４を外部の固定物にしっかりと固定することができる。
基礎部材１１、１２の下面と設置面との間には、ウレタンゴムからなる平面視して細長い矩形でシート状の底面補強板５４、５５が設けられている。底面補強板５４、５５により、基礎部材１１、１２の下面と設置面との接触をより均一にすることができ、基礎部材１１、１２に作用する集中荷重を抑えて基礎部材１１、１２の耐久性を向上させることができる。
【００３３】
次いで、本発明の第１の実施の形態に係る簡易バルーンシェルター１０の使用方法及び作用（又は動作）について、図を参照しながら説明する。
まず、空気が抜かれた状態の基礎部材１１、１２と、カバー部材１６とを分離した状態で建築現場に持ち込む。基礎部材１１、１２にはそれぞれ、支持部材４３、４４が取付けられている。
基礎部材１１、１２及び支持部材４３、４４を所定の位置の設置面に、底面補強板５４、５５を介して設置する。
【００３４】
次いで、簡易バルーンシェルター１０を適用する建築中の住宅のサイズに応じて、図３の上図のように、カバー部材１６のファスナーＡ、Ｂを解放した状態にし、また、図４の右図のように、基礎部材１１、１２のそれぞれのファスナーＧ、Ｈを連結することによって、屋根部１５の長さ（側壁部１３、１４の間隔）を長くすると共に、カバー部材１６の高が低くなるように設定する。
その後、支持部材４３、４４上にウェイト４０、４１を載置し、さらに、支持部材４３、４４に複数のアンカー４２を取付ける。
送風機４５、４６を運転し、給排気口４７、４８を介して、空気を基礎部材１１、１２及びカバー部材１６に注入して、基礎部材１１、１２及びカバー部材１６を形成するバルーンを膨らませる。バルーンからの空気漏れのため、その後も常時少量の空気を補給する。
【００３５】
外部に設置された冷風又は温風の供給源３６、３７を運転して、冷風又は温風を、側壁部１３、１４を貫通して連通されたダクト３４及びダクト３３に供給し、ダクト３３、３４に形成された送風口３２からカバー部材１６内部に吹き出す。この状態で、雨天でも作業者はカバー部材１６内で冷風又は温風により快適に作業を行うことができる。
また、工事の進展に伴って、屋根部１５の長さを短くしたり、また、カバー部材１６の高さを高くする場合には、一旦、給排気口４７、４８を介して、空気をバルーンから排出して、基礎部材１１、１２及びカバー部材１６を縮んだ状態にして、カバー部材１６のファスナーＡ、Ｂを連結し、また、基礎部材１１、１２のそれぞれのファスナーＧ、Ｈを解放し、その後、空気を注入する。
【００３６】
図６に示すように、本発明の第２の実施の形態に係る簡易バルーンシェルター６０は、例えば、住宅工事で使用するものであって、水平に配置され前後に長い基礎部材６１と、基礎部材６１に立設される側壁部６２及び側壁部６２の上端に連結される屋根部６３を備えたカバー部材６４とを有しており、基礎部材６１及びカバー部材６４は、第１の実施の形態に係る簡易バルーンシェルター１０の基礎部材１１、１２及びカバー部材１６と同様、軟質の合成樹脂シート又はゴムシートからなり、空気注入によって膨らむバルーンによって形成されている。なお、第１の実施の形態に係る簡易バルーンシェルター１０と同一の構成要素については、同一の符号を付し、詳しい説明を省略する。
【００３７】
図６に示すように、簡易バルーンシェルター６０のカバー部材６４においては、側壁部６２は、前後方向に並べて垂直配置され、それぞれの連結部分の一部が連通する複数（本実施の形態では１１個）の第１の筒状気室６５によって構成され、屋根部６３は、上下方向に並べて水平配置され、それぞれの連結部分の一部が連通する複数（本実施の形態では１１個）の第２の筒状気室６６によって構成されている。第１の筒状気室６５は、第１の実施の形態に係る簡易バルーンシェルター１０の半カバー部材１９、２０の筒状気室２２、２３と同様、空気注入によってバルーンが膨らんだ状態の断面形状は、略矩形であって、各辺が外側に円弧状に形成される。一方、空気注入によって膨らんだ状態の第２の筒状気室６６の断面は、各辺が外側に円弧状に形成され、しかも、左右方向の外側が長辺で内側が短辺の略台形状に形成されている。
【００３８】
基礎部材６１は、図４に示す簡易バルーンシェルター１０の基礎部材１１、１２と同様、側部の上下位置に互いに係合するファスナーＧ、Ｈを水平配置しており、図６に示すファスナーＧ、Ｈを連結した場合と、ファスナーＧ、Ｈを解放した場合とで、基礎部材６１の高さを変更可能としている。
屋根部６３の隣り合う第２の筒状気室６６は中間位置の表裏に互いに係合するファスナーＸ、Ｙを設けて、係合するファスナーＸ、Ｙの間を連結部材６６ｄとすることもできる。これによって、ファスナーＸ、Ｙの連結及び解放により屋根部６３の上下方向の長さが調整可能にすることができる。
【００３９】
屋根部６３を構成する第２の筒状気室６６の全部の端部には、ロープ係止用フック５３が設けられている。なお、図６に図示していないが、屋根部６３の先端部には、固定用のロープにより、屋根部６３の先端部を外部の固定物にしっかりと固定するためのロープ係止用孔が多数形成された細長い矩形でシート状の固定用部材が、前後方向に沿って設けられている。
【００４０】
側壁部６２の左右方向の外側下部位置には、給排気口６７が設けられており、給排気口６７は接続管６８を介して、外部に別置きされた送風機６９の吐出口に連結されている。送風機６９から供給される空気によって、基礎部材６１及びカバー部材６４であるバルーンを膨らますことができる。また、送風機６９には、雨よけカバー７０が設けられている。
側壁部６２の左右方向の外側下部位置には、ロープ係止用フック５３が前後方向に沿って並べて、即ち、各第１の筒状気室６５の外側下部位置に設けられており、固定用のロープ（図示せず）によりロープ係止用フック５３を介して、側壁部６２を外部の固定物にしっかりと固定することができる。
【００４１】
基礎部材６１の左右方向の外側には、前後方向に沿って、ウェイト７１及び複数のアンカー４２を取付け可能な、平面視して細長い矩形でシート状の支持部材７２が設けられている。ウェイト７１は基礎部材６１側に載置されて、基礎部材６１が設置面から移動しないようになっており、ウェイト７１を支持部材７２に載置した状態で、必要に応じて、さらに、アンカー４２を設けて支持部材７２を介して基礎部材６１を設置面に強固に固定することもできる。
簡易バルーンシェルター１０と同様、側壁部６２の左右方向の内側には、前後方向に沿って、冷風又は温風を吹き出す多数の送風口が並べて設けられた軟質の合成樹脂シート又はゴムシートからなるダクトが上下２段に設けられている。
【００４２】
図７には、簡易バルーンシェルター６０の変形例に係る簡易バルーンシェルター８０を展開した状態で示している。簡易バルーンシェルター８０が簡易バルーンシェルター６０と異なる主な点は、簡易バルーンシェルター８０の基礎部材８１の高さは可変ではなく、一定となっている点である。基礎部材８１は合成樹脂シート又はゴムシートからなっている。なお、簡易バルーンシェルター６０と同一の構成要素については、同一の符号を付し、詳しい説明を省略する。
【００４３】
図７に示すように、簡易バルーンシェルター８０においては、カバー部材６４ａの側壁部６２ａは、前後方向に並べて垂直配置され、それぞれの連結部分の一部が連通する複数（本実施の形態では６個）の第１の筒状気室６５ａによって構成されており、カバー部材６４ａの屋根部６３ａは、上下方向に並べて水平配置され、それぞれの連結部分の一部が連通する複数（本実施の形態では１０個）の第２の筒状気室６６ａによって構成されている。空気注入によって膨らんだ状態の第１の筒状気室６５ａ及び第２の筒状気室６６ａの断面は、連結部分が直線に、それ以外の部分が大きな円弧状に形成されている。
屋根部６３ａの上下方向に隣り合う第２の筒状気室６６ａの連結部分（１ヵ所でよい）には、周囲に対となる係合するファスナーＩ、Ｊを備えて、連結されている。この場合、上下の第２の筒状気室６６ａの空気の連通は、ファスナーＩ、Ｊでそれぞれ囲まれる筒状気室６６ａの一部に対向する１又は複数の空気孔を設けることによって行われている。この場合、係合するファスナーＩ、Ｊの接合部分から空気は漏れることにはなるが、常時送風機６９ａから空気が送られているので、屋根部６３ａが膨らんだ状態を維持できる。
また、上下の第２の筒状気室６６ａが係合するファスナーＩ、Ｊで連結されているので、この部分を切り離して、ファスナーＩに係合するファスナーＩ´と、ファスナーＪに係合するファスナーＪ´を有する補助屋根部材を継ぎ足すことによって、屋根部６３ａの長さを延長できる。この場合、補助屋根部材は、例えば、第２の筒状気室６６ａと同一構造であってもよく、これによって、屋根部６３ａ及び補助屋根部材を円滑に連結して、空気を供給し膨らませることができる。
隣り合う第２の筒状気室６６と一対のファスナーＩ、Ｊによる補助屋根部材６６ｆを備えており、一対のファスナーＩ、Ｊの連結及び解放により屋根部６３ａの長さが調整可能に構成されている。
【００４４】
側壁部６２ａの下部位置には、給排気口６７ａが設けられており、給排気口６７ａは接続管６８ａを介して、外部に別置きされた送風機６９ａの吐出口に連結されている。送風機６９ａから供給される空気によって、カバー部材６４ａであるバルーンを膨らますことができる。また、送風機６９ａには、雨よけカバー７０ａが設けられている。基礎部材８１の左右方向の外側には、前後方向に沿って、ウェイト７１ａ及び複数のアンカー４２を取付け可能な、平面視して細長い矩形でシート状の支持部材７２ａが設けられている。
【００４５】
簡易バルーンシェルター６０と同様、側壁部６２ａの左右方向の内側には、前後方向に沿って、冷風又は温風を吹き出す多数の送風口３２が並べて設けられた軟質の合成樹脂シート又はゴムシートからなるダクト３３ａ、３４ａが上下２段に設けられている。ダクト３３ａ、３４ａは、前後方向に間隔をあけて垂直に配置された軟質の合成樹脂シート又はゴムシートからなる連通部材３５ａを介して連通されている。基礎部材８１と設置面との間には、底面補強板５４ａが設けられている。
【００４６】
屋根部６３ａの先端部には、固定用のロープ（図示せず）により、屋根部６３ａの先端部を外部の固定物にしっかりと固定するためのロープ係止用孔８２が多数形成された、細長い矩形でシート状の固定用部材８３が、前後方向に沿って設けられている。さらに、屋根部６３ａを構成する第２の筒状気室６６ａの全部の端部には、ロープ係止用フック５３ａが設けられている。
【００４７】
次いで、本発明の第２の実施の形態の変形例である簡易バルーンシェルター８０（６０も略同じ）の使用方法及び作用（又は動作）について、図７及び図８を参照しながら説明する。
支持部材７２ａ及びカバー部材６４ａが取付けられている基礎部材８１を建築現場に持ち込み、基礎部材８１及び支持部材７２ａを所定の位置の設置面に、底面補強板５４ａを介して設置する。支持部材７２ａ上にウェイト７１ａを載置し、さらに、支持部材７２ａに複数のアンカー４２を取付ける。
【００４８】
次いで、送風機６９ａを運転し、給排気口６７ａを介して、空気をカバー部材６４ａに注入してカバー部材６４ａを膨らませて、図７に示す展開された状態のバルーンにする。
その後、簡易バルーンシェルター８０を適用する建築中の住宅のサイズに応じて、図８にそれぞれ示すように、屋根部６３ａを構成する第２の筒状気室６６ａの下から１段（通常の使い方）又は２段（高さを高くする使い方）を、側壁部６２ａの上端に垂直にすると共に、残りの第２の筒状気室６６ａが、下方の設置物との干渉を避けて所定の形状を形成するように、固定用部材８３のロープ係止用孔８２を、ロープを介して外部の固定物に固定すると共に、第１の筒状気室６５ａ及び第２の筒状気室６６ａのロープ係止用フック５３、５３ａを介してロープにより外部の固定物に固定する。
【００４９】
外部に設置された冷風又は温風の供給源を運転して、冷風又は温風をダクト３３ａ、３４ａに供給し、ダクト３３ａ、３４ａに形成された多数の送風口３２からカバー部材６４ａ内部に吹き出し、雨天でもカバー部材６４ａ内で作業者が快適に作業を行うことができる。
また、工事の進展に伴って、補助屋根部材を追加した屋根部６３ａの長さを短くする場合には、一旦、給排気口４６７ａを介して、空気をバルーンから排出して、カバー部材６４ａを一旦縮んだ状態にして、カバー部材６４ａの二対のファスナーI 、I ´とJ 、J ´を解放して、補助屋根部材を除去し、上下隣り合う第２の筒状気室６６ａの対向するファスナーI 、J を連結し、空気を注入する。
【００５０】
本発明は前記した実施の形態に限定されるものではなく、本発明の要旨を変更しない範囲での変更は可能であり、例えば、それぞれの実施の形態や変形例の一部又は全部を組み合わせて本発明の簡易バルーンシェルターを構成する場合も本発明の権利範囲に含まれる。
左右の半カバー部材１９、２０の先端部に配置した補助屋根部材３１として、各筒状気室２２、２３に連通する筒状気室を、合成樹脂シート又はゴムシートから形成するようにしたが、これに限定されず、必要に応じて、補助屋根部材を伸縮しない材料で構成することもできる。
【００５１】
左右の半カバー部材１９、２０の先端部に１個の補助屋根部材３１を配置したが、これに限定されず、必要に応じて、２個以上の補助屋根部材を配置することもできる。
連結部材２１を左右の半カバー部材１９、２０の筒状気室２２、２３の先部に連通する構造としたが、これに限定されず、必要に応じて、連結部材の左右方向の中間位置に、空気の連通を遮断する遮断部を設けることもできる。これにより、送風機４５、４６から供給される空気により、左右のバルーンが均等に、効率よく形成される。
基礎部材１１、１２にそれぞれ、送風機４５、４６を設けたが、これに限定されず、状況に応じて、いずれか一方の基礎部材に１台の送風機を設けることもできる。
【００５２】
カバー部材１６を構成する筒状気室２２、２３（カバー部材６４、６４ａも同じ）の個数について特定したが、これに限定されず、必要に応じて、その他の個数に変えることもできる。また、筒状気室２２、２３、第１の筒状気室６５、６５ａ及び第２の筒状気室６６、６６ａの断面形状について言及したが、これに限定されず、状況に応じて、他の断面形状にすることもできる。
双方の基礎部材１１、１２の側部の上下位置に互いに係合するファスナーＧ、Ｈを設けたが、これに限定されず、必要に応じて、いずれか一つの基礎部材にファスナーを設けることもできる。
【００５３】
基礎部材１１、１２及び基礎部材６１の高さ変更のために係合するファスナーＧ、Ｈを設けたが、これに限定されず、必要に応じて、補助屋根部材３１と同じ構造の補助基礎部材を用いることもできる。
簡易バルーンシェルター８０の屋根部６３ａの先端部にはロープ係止用孔８２を設けると共に、屋根部６３ａを構成する第２の筒状気室６６ａの全部の端部にはロープ係止用フック５３ａを設けたが、これに限定されず、状況に応じて、ロープ係止用孔を省略したり、また、第２の筒状気室の一部の端部にロープ係止用フック５３ａを設けることもできる。
【００５４】
側壁部の内側には、冷風又は温風を吹き出す多数の送風口３２が並べて設けられた軟質の合成樹脂シート又はゴムシートからなるダクト３３、３４を設けたが、これに限定されず、必要に応じて、ダクトを省略したり、また、ダクトを別の材質で形成することもできる。また、外観を考慮して、ダクトを側壁部の内部に取付けることもできる。
基礎部材には、ウェイト及びアンカーの双方を取付け可能な支持部材を設けたが、これに限定されず、必要に応じて、ウェイト及びアンカーのいずれか一方を取付け可能な支持部材を設けることもできる。
【００５５】
側壁部の外側下部位置には、ロープ係止用フック５３を並べて設けたが、これに限定されず、状況に応じて、ロープ係止用フックを省略することもできる。
ファスナーの構造については、言及しなかったが、面状ファスナー又はジッパーのいずれか一方又は双方を使用することができる。また、連続して固定するファスナー以外にも、断続して固定するファスナーを用いることもできる。
カバー部材の屋根部の長さＬは５〜１４ｍ程度、また、カバー部材の屋根部の高さＳは３〜５ｍ程度としている。
送風機及び冷風又は温風の供給源を基礎部材の左右方向の外側に設けたが、これに限定されず、状況に応じて、基礎部材の左右方向の内側に設けることもできる。
【図面の簡単な説明】
【００５６】
【図１】本発明の第１の実施の形態に係る簡易バルーンシェルターの使用状況を示す説明図である。
【図２】同簡易バルーンシェルターの模式図である。
【図３】同簡易バルーンシェルターのカバー部材の屋根部の長さの変更方法を示す説明図である。
【図４】同簡易バルーンシェルターの基礎部材の高さの変更方法を示す説明図である。
【図５】同簡易バルーンシェルターのカバー部材の屋根部の変形例を示す説明図である。
【図６】本発明の第２の実施の形態に係る簡易バルーンシェルターの使用状況を示す説明図である。
【図７】同簡易バルーンシェルターの変形例を展開した状態を示す模式図である。
【図８】同簡易バルーンシェルターの変形例の使用方法を示す説明図である。
【符号の説明】
【００５７】
１０：簡易バルーンシェルター、１１、１２：基礎部材、１３、１４：側壁部、１５：屋根部、１６：カバー部材、１７：左側部、１８：右側部、１９、２０：半カバー部材、２１：連結部材、２２、２３：筒状気室、２４：折り目、２５：カバー部材、２６：屋根部、２７：左側部、２８：右側部、２９、３０：半カバー部材、３１：補助屋根部材、３２：送風口、３３、３３ａ：ダクト、３４、３４ａ：ダクト、３５、３５ａ：連通部材、３６、３７：供給源、３８、３９：供給口、４０、４１：ウェイト、４２：アンカー、４３、４４：支持部材、４５、４６：送風機、４７、４８：給排気口、４９、５０：接続管、５１、５２：雨よけカバー、５３、５３ａ：ロープ係止用フック、５４、５４ａ：底面補強板、５５：底面補強板、６０：簡易バルーンシェルター、６１：基礎部材、６２、６２ａ：側壁部、６３、６３ａ：屋根部、６４、６４ａ：カバー部材、６５、６５ａ：第１の筒状気室、６６、６６ａ：第２の筒状気室、６６ｄ：連結部材、６７、６７ａ：給排気口、６８、６８ａ：接続管、６９、６９ａ：送風機、７０、７０ａ：雨よけカバー、７１、７１ａ：ウェイト、７２、７２ａ：支持部材、８０：簡易バルーンシェルター、８１：基礎部材、８２：ロープ係止用孔、８３：固定用部材
【図１】
2006063588.tif 000003
【図２】
2006063588.tif 000004
【図３】
2006063588.tif 000005
【図４】
2006063588.tif 000006
【図５】
2006063588.tif 000007
【図６】
2006063588.tif 000008
【図７】
2006063588.tif 000009
【図８】
2006063588.tif 000010